(57)【要約】【課題】  複数回に渡って同一の印刷対象物に印刷する場合でも，印刷対象物に印刷するレイアウト通り印刷対象物に印刷することが可能な印刷システム，印刷装置，情報処理装置，印刷対象物，およびコンピュータプログラムを提供する【解決手段】  上記印刷装置（１０１）は，印刷対象物（１４１）を印刷するために支持する支持手段（１２１）と；印刷情報を基にして前記印刷対象物に印刷する印刷手段（１２５）とを備え，上記印刷情報は，同一の印刷対象物に複数回に渡って印刷する場合の情報であってその印刷対象物のレイアウトの編集に関する編集情報を基にして生成されており；上記支持手段には，その支持手段に取り付ける印刷対象物の取り付け向きと印刷対象物の向きとを合わせる向き合わせ機構（１４５，１４７）が形成されている。【選択図】    図３
2007219744.tif 000002
【特許請求の範囲】
【請求項１】
印刷対象物に印刷する印刷装置と，該印刷装置が印刷対象物に印刷するための印刷情報を送信する情報処理装置とを備えた印刷システムにおいて：
前記印刷装置は，前記印刷対象物を印刷するために支持する支持手段と；
前記印刷情報を基にして前記印刷対象物に印刷する印刷手段と；
を備え，
前記情報処理装置は，同一の印刷対象物に複数回に渡って印刷する場合の情報であってその印刷対象物のレイアウトの編集に関する編集情報を生成又は加工する編集情報処理手段と；
前記編集情報処理手段により生成又は加工された前記編集情報を編集画面に表示する表示手段と；
ユーザにより前記印刷対象物への印刷実行が要求されると，前記編集情報を基に前記印刷情報を生成する印刷情報生成手段と；
を備え，
前記支持手段には，前記支持手段に取り付ける印刷対象物の取り付け向きと前記印刷対象物の向きとを合わせる向き合わせ機構が形成されており；
前記編集情報処理手段は，第１のモードとして，前記支持手段に取り付けられた前記印刷対象物の向きと対応する，印刷対象物の向きを特定する基準となる，マーク情報を生成し，前記マーク情報を基準として前記印刷対象物のレイアウトを編集するため前記表示手段に前記マーク情報を送信することを特徴とする，印刷システム。
【請求項２】
前記表示手段は，前記編集情報処理手段により生成された前記マーク情報を前記編集画面上に表示又は非表示のいずれかに切替えることを特徴とする，請求項１に記載の印刷システム。
【請求項３】
前記印刷対象物の向きは，その印刷対象物上に存在するマークにより特定されることを特徴とする，請求項１に記載の印刷システム。
【請求項４】
前記編集情報処理手段は，第２のモードとして，前記印刷対象物に印刷するオブジェクトを編集するための印刷編集情報を生成又は加工することを特徴とする，請求項１に記載の印刷システム。
【請求項５】
前記表示手段は，前記編集情報処理手段により生成又は加工された前記印刷編集情報を前記編集画面上に表示又は非表示のいずれかに切替えることを特徴とする，請求項４に記載の印刷システム。
【請求項６】
前記編集情報処理手段は，第３のモードとして，前記編集画面上のオブジェクトであって，前記印刷対象物には印刷しない非印刷のオブジェクトに関する非印刷編集情報を生成又は加工することを特徴とする，請求項１に記載の印刷システム。
【請求項７】
前記表示手段は，前記編集情報処理手段により生成又は加工された前記非印刷編集情報を前記編集画面上に表示又は非表示のいずれかに切替えることを特徴とする，請求項６に記載の印刷システム。
【請求項８】
前記非印刷編集情報は，前記印刷対象物に既に印刷したオブジェクトに関する情報であることを特徴とする，請求項６に記載の印刷システム。
【請求項９】
前記非印刷編集情報は，前記印刷対象物に印刷する予定の領域を少なくとも示す情報であることを特徴とする，請求項６に記載の印刷システム。
【請求項１０】
さらに，前記印刷対象物に印刷するオブジェクトを編集するための印刷編集情報を生成又は加工する第２のモード，又は，前記印刷対象物には印刷しない非印刷のオブジェクトに関する非印刷編集情報を生成又は加工する第３のモードのうち少なくとも一方のモードを選択するモード選択手段を備え；
前記編集情報処理手段は，前記モード選択手段により選択されたモードに対応する編集情報を生成又は加工することを特徴とする，請求項１に記載の印刷システム。
【請求項１１】
前記編集情報処理手段は，前記印刷対象物に印刷するオブジェクトと，前記印刷対象物には印刷しない非印刷のオブジェクトとが重なっているかを判定し，その判定により重なっていた場合，その重なり部分を示す重なり情報を生成し；
前記表示手段は，前記編集情報処理手段により生成された前記重なり情報を前記編集画面上に表示することを特徴とする，請求項１に記載の印刷システム。
【請求項１２】
前記表示手段は，前記印刷対象物に前記マークを印刷する要否を受付けるためのマーク印刷要否受付情報を表示することを特徴とする，請求項３に記載の印刷システム。
【請求項１３】
前記印刷手段は，前記印刷対象物に前記マークがない場合，その印刷対象物にマークを印刷することを特徴とする，請求項３に記載の印刷システム。
【請求項１４】
印刷対象物に印刷するための印刷情報を生成する情報処理装置であって：
同一の印刷対象物に複数回に渡って印刷する場合の情報であってその印刷対象物のレイアウトの編集に関する編集情報を生成又は加工する編集情報処理手段と；
前記編集情報処理手段により生成又は加工された前記編集情報を編集画面に表示する表示手段と；
ユーザにより前記印刷対象物への印刷実行が要求されると，前記編集情報を基に前記印刷情報を生成する印刷情報生成手段と；
を備え，
前記印刷対象物は印刷装置に備わる支持手段に支持され，その支持手段に取り付ける印刷対象物の取り付け向きと前記印刷対象物の向きとが合っており；
前記編集情報処理手段は，第１のモードとして，前記支持手段に取り付けられた前記印刷対象物の向きと対応する，印刷対象物の向きを特定する基準となる，マーク情報を生成し，前記マーク情報を基準として前記印刷対象物のレイアウトを編集するため前記表示手段に前記マーク情報を送信することを特徴とする，情報処理装置。
【請求項１５】
前記表示手段は，前記編集情報処理手段により生成された前記マーク情報を前記編集画面上に表示又は非表示のいずれかに切替えることを特徴とする，請求項１４に記載の情報処理装置。
【請求項１６】
前記編集情報処理手段は，第２のモードとして，前記印刷対象物に印刷するオブジェクトを編集するための印刷編集情報を生成又は加工することを特徴とする，請求項１４に記載の情報処理装置。
【請求項１７】
前記表示手段は，前記編集情報処理手段により生成又は加工された前記印刷編集情報を前記編集画面上に表示又は非表示のいずれかに切替えることを特徴とする，請求項１６に記載の情報処理装置。
【請求項１８】
前記編集情報処理手段は，第３のモードとして，前記編集画面上のオブジェクトであって，前記印刷対象物には印刷しない非印刷のオブジェクトに関する非印刷編集情報を生成又は加工することを特徴とする，請求項１４に記載の情報処理装置。
【請求項１９】
前記表示手段は，前記編集情報処理手段により生成又は加工された前記非印刷編集情報を前記編集画面上に表示又は非表示のいずれかに切替えることを特徴とする，請求項１８に記載の情報処理装置。
【請求項２０】
前記非印刷編集情報は，前記印刷対象物に既に印刷したオブジェクトに関する情報であることを特徴とする，請求項１８に記載の情報処理装置。
【請求項２１】
前記非印刷編集情報は，前記印刷対象物に印刷する予定の領域を少なくとも示す情報であることを特徴とする，請求項１８に記載の情報処理装置。
【請求項２２】
さらに，前記印刷対象物に印刷するオブジェクトを編集するための印刷編集情報を生成又は加工する第２のモード，又は，前記印刷対象物には印刷しない非印刷のオブジェクトに関する非印刷編集情報を生成又は加工する第３のモードのうち少なくとも一方のモードを選択するモード選択手段を備え；
前記編集情報処理手段は，前記モード選択手段により選択されたモードに対応する編集情報を生成又は加工することを特徴とする，請求項１４に記載の情報処理装置。
【請求項２３】
前記編集情報処理手段は，前記印刷対象物に印刷するオブジェクトと，前記印刷対象物には印刷しない非印刷のオブジェクトとが重なっているかを判定し，その判定により重なっていた場合，その重なり部分を示す重なり情報を生成し；
前記表示手段は，前記編集情報処理手段により生成された前記重なり情報を前記編集画面上に表示することを特徴とする，請求項１４に記載の情報処理装置。
【請求項２４】
前記表示手段は，前記印刷対象物の向きを特定するマークを前記印刷対象物に印刷する要否を受付けるためのマーク印刷要否受付情報を表示することを特徴とする，請求項１４に記載の情報処理装置。
【請求項２５】
印刷対象物に印刷するための印刷情報を読み込んで印刷する印刷装置であって：
前記印刷対象物を印刷するために支持する支持手段と；
前記印刷情報を基にして前記印刷対象物に印刷する印刷手段と；
を備え，
前記印刷情報は，同一の印刷対象物に複数回に渡って印刷する場合の情報であってその印刷対象物のレイアウトの編集に関する編集情報を基にして生成されており；
前記支持手段には，前記支持手段に取り付ける印刷対象物の取り付け向きと前記印刷対象物の向きとを合わせる向き合わせ機構が形成されることを特徴とする，印刷装置。
【請求項２６】
前記印刷対象物の向きは，その印刷対象物上に存在するマークにより特定されることを特徴とする，請求項２５に記載の印刷装置。
【請求項２７】
前記マークは，前記印刷対象物の中心部からの放射状の線分であることを特徴とする，請求項２６に記載の印刷装置。
【請求項２８】
前記印刷手段は，前記印刷対象物に前記マークがない場合，その印刷対象物にマークを印刷することを特徴とする，請求項２６に記載の印刷装置。
【請求項２９】
印刷情報を読み込んだ印刷装置により印刷される印刷対象物であって：
前記印刷装置には，前記印刷対象物を印刷するために支持する支持手段と；
前記印刷情報を基にして前記印刷対象物に印刷する印刷手段と
が備えられており，
前記印刷情報は，同一の印刷対象物に複数回に渡って印刷する場合の情報であってその印刷対象物のレイアウトの編集に関する編集情報を基にして生成されており；
前記印刷対象物上には，前記支持手段に取り付ける印刷対象物の取り付け向きと印刷対象物の向きとを合わせるためであって，前記印刷対象物の向きを一意に特定するマークが存在することを特徴とする，印刷対象物。
【請求項３０】
コンピュータをして，印刷対象物に印刷するための印刷情報を生成する情報処理装置として機能させるコンピュータプログラムであって：
同一の印刷対象物に複数回に渡って印刷する場合の情報であってその印刷対象物のレイアウトの編集に関する編集情報を生成又は加工する編集情報処理機能と；
前記編集情報処理機能により生成又は加工された前記編集情報を編集画面に表示する表示機能と；
ユーザにより前記印刷対象物への印刷実行が要求されると，前記編集情報を基に前記印刷情報を生成する印刷情報生成機能と；
を備え，
前記印刷対象物は印刷装置に備わる支持手段に支持され，その支持手段に取り付ける印刷対象物の取り付け向きと前記印刷対象物の向きとが合っており；
前記編集情報処理機能は，第１のモードとして，前記支持手段に取り付けられた前記印刷対象物の向きと対応する，印刷対象物の向きを特定する基準となる，マーク情報を生成し，前記マーク情報を基準として前記印刷対象物のレイアウトを編集するため前記表示機能に前記マーク情報を送信することを特徴とする，コンピュータプログラム。
【発明の詳細な説明】
【技術分野】
【０００１】
本発明は印刷システム，情報処理装置，印刷装置，印刷対象物，およびコンピュータプログラムに関する。
【背景技術】
【０００２】
現在，大容量な情報を記憶可能なメディアとして，一度だけ記録可能なＣＤ−Ｒ，ＤＶＤ−Ｒや，複数回の記録が可能なＣＤ−ＲＷ，ＤＶＤ−ＲＷなどの光ディスクが，一般的に普及している。
【０００３】
上記ＣＤ−Ｒを例に挙げて，光ディスクの構成について説明すると，基盤の上に色素からなる記録層と，金や銀を蒸着した反射層と，紫外線硬化樹脂からなる保護層とを順次設けた構造となっている。
【０００４】
上記のような構造を有する光ディスクにおいて，データが記録される被記録面の反対面（以下，レーベル面と呼ぶ）に，当該光ディスクに記録されているデータの内容を示す文字や図形等を印刷する印刷装置が存在している（例えば，特許文献１，参照）。
【０００５】
【特許文献１】特開２００４−１１０９９４号公報
【発明の開示】
【発明が解決しようとする課題】
【０００６】
しかしながら，光ディスクなどの印刷対象物について，一度印刷した後，再び印刷しようとしても，既に印刷された文字，図形等のオブジェクトと新規に印刷するオブジェクトが重なってしまうなど，印刷対象物の位置，向きを調整するのが困難であった。
【０００７】
また，一度印刷対象物に印刷されたオブジェクトの位置などを管理して，例えば，それらに重ならないように，再度印刷するための文字，図形などのオブジェクトを作成するのは容易ではなかった。
【０００８】
本発明は，上記問題点に鑑みてなされたものであり，本発明の目的は，複数回に渡って同一の印刷対象物に印刷する場合でも，印刷対象物に印刷するレイアウト通り印刷対象物に印刷することが可能な，新規かつ改良された印刷システム，印刷装置，情報処理装置，印刷対象物，およびコンピュータプログラムを提供することである。
【課題を解決するための手段】
【０００９】
上記課題を解決するため，本発明の第１の観点によれば，印刷対象物に印刷する印刷装置と，該印刷装置が印刷対象物に印刷するための印刷情報を送信する情報処理装置とを備えた印刷システムが提供される。上記印刷システムにおける上記印刷装置は，印刷対象物を印刷するために支持する支持手段と；上記印刷情報を基にして上記印刷対象物に印刷する印刷手段とを備えており，上記情報処理装置は，同一の印刷対象物に複数回に渡って印刷する場合の情報であってその印刷対象物のレイアウトの編集に関する編集情報を生成又は加工する編集情報処理手段と；上記編集情報処理手段により生成又は加工された上記編集情報を編集画面に表示する表示手段と；ユーザにより上記印刷対象物への印刷実行が要求されると，上記編集情報を基に上記印刷情報を生成する印刷情報生成手段とを備えており，上記支持手段には，上記支持手段に取り付ける印刷対象物の取り付け向きと上記印刷対象物の向きとを合わせる向き合わせ機構が形成されており；上記編集情報処理手段は，第１のモードとして，上記支持手段に取り付けられた上記印刷対象物の向きと対応する，印刷対象物の向きを特定する基準となる，マーク情報を生成し，上記マーク情報を基準として上記印刷対象物のレイアウトを編集するため上記表示手段に上記マーク情報を送信することを特徴としている。
【００１０】
上記表示手段は，上記編集情報処理手段により生成された上記マーク情報を上記編集画面上に表示又は非表示のいずれかに切替えるようにしてもよい。
【００１１】
上記印刷対象物の向きは，その印刷対象物上に存在するマークにより特定されるように構成されてもよく，上記マークは，上記印刷対象物の中心部からの放射状の線分であるように構成されてもよい。
【００１２】
上記編集情報処理手段は，第２のモードとして，上記印刷対象物に印刷するオブジェクトを編集するための印刷編集情報を生成又は加工するようにしてもよい。かかる構成により，複数回に渡って同一の印刷対象物に印刷する場合，印刷対象物のレイアウトを効率的に編集できる。
【００１３】
上記表示手段は，上記編集情報処理手段により生成又は加工された上記印刷編集情報を編集画面上に表示又は非表示のいずれかに切替えるようにしてもよい。
【００１４】
上記編集情報処理手段は，第３のモードとして，上記編集画面上のオブジェクトであって，上記印刷対象物には印刷しない非印刷のオブジェクトに関する非印刷編集情報を生成又は加工するようにしてもよい。かかる構成により，複数回に渡って同一の印刷対象物に印刷する場合，印刷対象物のレイアウトを効率的に編集できる。
【００１５】
上記表示手段は，上記編集情報処理手段により生成又は加工された上記非印刷編集情報を上記編集画面上に表示又は非表示のいずれかに切替えるようにしてもよい。
【００１６】
上記非印刷編集情報は，以前の印刷で上記印刷対象物に既に印刷したオブジェクトに関する情報であるように構成してもよい。
【００１７】
上記非印刷編集情報は，上記印刷対象物に印刷する予定の領域を少なくとも示す情報であるように構成してもよく，上記非印刷編集情報は，今回印刷しないが，いずれ上記印刷対象物に印刷する予定の領域を少なくとも示す情報であるように構成してもよい。
【００１８】
さらに，印刷対象物に印刷するオブジェクトを編集するための印刷編集情報を生成又は加工する第２のモード，又は，印刷対象物には印刷しない非印刷のオブジェクトに関する非印刷編集情報を生成又は加工する第３のモードのうち少なくとも一方のモードを選択するモード選択機能を備え；編集情報処理機能は，モード選択機能により選択されたモードに対応する編集情報を生成又は加工するようにしてもよい。
【００１９】
また，（１）上記支持手段に取り付けられた上記印刷対象物の向きと対応する，印刷対象物の向きを特定する基準となる，マーク情報を生成する第１のモード，（２）上記印刷対象物に印刷するオブジェクトを編集するための印刷編集情報を生成又は加工する第２のモード，または（３）上記印刷対象物には印刷しない非印刷のオブジェクトに関する非印刷編集情報を生成又は加工する第３のモードの（１）〜（３）のモードのうち少なくとも１つのモードを選択するモード選択手段を備え；上記編集情報処理手段は，上記モード選択手段により選択されたモードに対応する編集情報を生成又は加工するように構成してもよい。
【００２０】
さらに，上記表示手段は，印刷編集情報又は非印刷情報のうち少なくとも一方を表示するように表示切替する表示切替手段を備えるようにしてもよい。
【００２１】
上記編集情報処理手段は，上記印刷対象物に印刷するオブジェクトと，上記印刷対象物には印刷しない非印刷のオブジェクトとが重なっているかを判定し，その判定により重なっていた場合，その重なり部分を示す重なり情報を生成し；上記表示手段は，上記編集情報処理手段により生成された上記重なり情報を上記編集画面上に表示するようにしてもよい。
【００２２】
上記オブジェクトは，文字，記号，若しくは図形若しくはこれらの組み合せ又はこれらと色彩との結合であるように構成されてもよい。
【００２３】
上記表示手段は，上記印刷対象物に上記マークを印刷する要否を受付けるためのマーク印刷要否受付情報を表示するようにしてもよい。
【００２４】
上記印刷手段は，上記印刷対象物に上記マークがない場合，その印刷対象物にマークを印刷するようにしてもよい。
【００２５】
また，上記課題を解決するために，本発明の別の観点によれば，印刷対象物に印刷するための印刷情報を生成する情報処理装置が提供される。なお，情報処理装置は，上記説明の印刷システムに備わる情報処理装置とほぼ同様な構成であるため，詳細な説明は省略する。
【００２６】
また，上記課題を解決するために，本発明の別の観点によれば，印刷対象物に印刷するための印刷情報を読み込んで印刷する印刷装置が提供される。なお，印刷装置は，上記説明した印刷システムに備わる印刷装置と，ほぼ同様な構成であるため詳細な説明は省略する。
【００２７】
また，上記課題を解決するために，本発明の別の観点によれば，印刷情報を読み込んだ印刷装置により印刷される印刷対象物が提供される。上記印刷装置には，上記印刷対象物を印刷するために支持する支持手段と；上記印刷情報を基にして上記印刷対象物に印刷する印刷手段とが備えられており，上記印刷情報は，同一の印刷対象物に複数回に渡って印刷する場合の情報であってその印刷対象物のレイアウトの編集に関する編集情報を基にして生成されており；上記印刷対象物には，上記支持手段に取り付ける印刷対象物の取り付け向きと印刷対象物の向きとを合わせるためであって，上記印刷対象物の向きを一意に特定するマークが存在することを特徴としている。
【００２８】
また，上記課題を解決するために，本発明の別の観点によれば，コンピュータをして，印刷対象物に印刷するための印刷情報を生成する情報処理装置として機能させるコンピュータプログラムが提供される。上記コンピュータプログラムは，同一の印刷対象物に複数回に渡って印刷する場合の情報であってその印刷対象物のレイアウトの編集に関する編集情報を生成又は加工する編集情報処理機能と；上記編集情報処理機能により生成又は加工された上記編集情報を編集画面に表示する表示機能と；ユーザにより上記印刷対象物への印刷実行が要求されると，上記編集情報を基に上記印刷情報を生成する印刷情報生成機能とを備え，上記印刷対象物は印刷装置に備わる支持手段に支持され，その支持手段に取り付ける印刷対象物の取り付け向きと上記印刷対象物の向きとが合っており；上記編集情報処理機能は，第１のモードとして，上記支持手段に取り付けられた上記印刷対象物の向きと対応する，印刷対象物の向きを特定する基準となる，マーク情報を生成し，上記マーク情報を基準として上記印刷対象物のレイアウトを編集するため上記表示機能に上記マーク情報を送信することを特徴としている。
【００２９】
上記表示機能は，上記編集情報処理機能により生成された上記マーク情報を上記編集画面上に表示又は非表示のいずれかに切替えるようにしてもよい。
【００３０】
上記編集情報処理機能は，第２のモードとして，上記印刷対象物に印刷するオブジェクトを編集するための印刷編集情報を生成又は加工するようにしてもよい。
【００３１】
上記表示機能は，上記編集情報処理機能により生成又は加工された上記印刷編集情報を上記編集画面上に表示又は非表示のいずれかに切替えるようにしてもよい。
【００３２】
上記編集情報処理機能は，第３のモードとして，上記編集画面上のオブジェクトであって，上記印刷対象物には印刷しない非印刷のオブジェクトに関する非印刷編集情報を生成又は加工するようにしてもよい。
【００３３】
上記表示機能は，上記編集情報処理機能により生成又は加工された上記非印刷編集情報を上記編集画面上に表示又は非表示のいずれかに切替えるようにしてもよい。
【００３４】
上記非印刷編集情報は，上記印刷対象物に既に印刷したオブジェクトに関する情報であるようにしてもよく，上記非印刷編集情報は，上記印刷対象物に印刷する予定の領域を少なくとも示す情報であるようにしてもよい。
【００３５】
さらに，印刷対象物に印刷するオブジェクトを編集するための印刷編集情報を生成又は加工する第２のモード，又は，印刷対象物には印刷しない非印刷のオブジェクトに関する非印刷編集情報を生成又は加工する第３のモードのうち少なくとも一方のモードを選択するモード選択機能を備え；編集情報処理機能は，モード選択機能により選択されたモードに対応する編集情報を生成又は加工するようにしてもよい。
【００３６】
上記編集情報処理機能は，上記印刷対象物に印刷するオブジェクトと，上記印刷対象物には印刷しない非印刷のオブジェクトとが重なっているかを判定し，その判定により重なっていた場合，その重なり部分を示す重なり情報を生成し；上記表示機能は，上記編集情報処理手段により生成された上記重なり情報を上記編集画面上に表示するようにしてもよい。
【００３７】
上記表示機能は，上記印刷対象物に上記マークを印刷する要否を受付けるためのマーク印刷要否受付情報を表示するようにしてもよい。
【発明の効果】
【００３８】
以上説明したように，本発明によれば，複数回に渡って同一の印刷対象物に印刷する場合でも，印刷対象物に印刷するレイアウト通り印刷対象物に印刷することができる。
【発明を実施するための最良の形態】
【００３９】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００４０】
（印刷システムについて）
まず，図１を参照しながら，本実施の形態にかかる印刷システム１００について説明する。なお，図１は，本実施の形態にかかる印刷システムの概略的な構成の一例を示すブロック図である。
【００４１】
図１に示すように，印刷システム１００には，印刷装置１０１と，情報処理装置１０５とが備わっている。印刷装置１０１と情報処理装置１０５とはネットワーク１０３を介して接続されている。
【００４２】
上記印刷装置１０１は，印刷トレイ１２１を備えており，印刷トレイ１２１に載置されるＣＤ−ＲＯＭ等の光ディスクのレーベル面に文字又は図形などのオブジェクトを印刷することが可能な装置である。なお，印刷装置１０１は，光ディスクのレーベル面に印刷する場合に限られず，紙媒体などに印刷してもよい。
【００４３】
また，本実施の形態にかかる光ディスクのレーベル面は，例えば，光ディスクの表面，即ち，光ディスクにおけるデータが記録される被記録面の反対面であるものとするが，かかる例に限定されない。
【００４４】
上記ネットワーク１０３は，印刷装置１０１と情報処理装置１０５とを接続するものであり，典型的には，ＵＳＢ（Universal Serial Bus）や，ＲＳ−２３２Ｃなどのケーブルであるが，Ｅｔｈｅｒｎｅｔ（登録商標）による同軸ケーブル又はツイストペアケーブル，もしくはＩＥＥＥ８０２．１１ｂなどによる無線など，有線無線を問わず，衛星通信網なども含む。
【００４５】
上記情報処理装置１０５は，光ディスクのレーベル面に印刷する文字又は図形等のオブジェクトを作成又は加工し，光ディスクのレーベル面にオブジェクトを印刷するための印刷情報を生成する装置である。
【００４６】
以上のように構成された印刷システム１００では，情報処理装置１０５で光ディスクのレーベル面に印刷するオブジェクトを作成し，レーベル面のレイアウトを決定すると，印刷装置１０１は，その決定されたレーベル面のレイアウトの通りに，印刷トレイ１２１に載置された光ディスクのレーベル面に印刷を実行する。
【００４７】
換言すると，上記印刷システム１００は，複数回に渡る印刷において，以前に印刷したオブジェクトと重ならないように新規のオブジェクトを作成し，レーベル面のレイアウトを決定することができ，印刷装置１０１は，そのレーベル面のレイアウト通りに印刷できるため，複数回繰り返して同一の光ディスクのレーベル面に印刷してもオブジェクト同士が重ならないようにすることができる。
【００４８】
編集したレイアウト通りにレーベル面に印刷できるのは，上記情報処理装置１０５側で，同一の光ディスクのレーベル面について，既に印刷されたオブジェクトや，今回の印刷でレーベル面に印刷するオブジェクトなどに関する編集情報を管理し，さらに印刷装置１０１側で，印刷トレイ１２１に光ディスクを取り付ける向きと，光ディスクの向きとを一致させる機構を備えているためである。
【００４９】
なお，上記情報処理装置１０５側で管理する編集情報や，印刷装置１０１の印刷トレイ１２１に備わる向きを合わせる機構などについては，後程説明する。
【００５０】
また，本実施の形態では，オブジェクトは，例えば，文字，記号，若しくは図形若しくはこれらの組み合わせ又はこれらと色彩との組み合わせをいうが，かかる例に限定されない。さらに，上記図形には，人物等の画像も含むものとし，上記オブジェクトの色は，白，黒，又はグレーに限らず，如何なる色でもよい。
【００５１】
上記図１に示す印刷システム１００には，印刷装置１０１及び情報処理装置１０５の単体が備わる場合を例に挙げて説明したが，かかる例に限定されず，例えば，印刷システム１００には，複数台の印刷装置１０１及び／又は複数台の情報処理装置１０５が備わる場合などでも実施可能である。
【００５２】
なお，以下に説明する印刷システム１００は，上記印刷装置１０１と情報処理装置１０５とを備える場合を例に挙げて説明するが，かかる例に限定されず，例えば，印刷システム１００は，印刷装置１０１のみを備える場合でも実施可能である。なお，かかる場合，印刷装置１０１は，情報処理装置１０５が具備する機能のうち少なくとも１つを含むものとする。
【００５３】
（印刷装置について）
次に，図２を参照しながら，本実施の形態にかかる印刷装置１０１のハードウェア構成について説明する。なお，図２は，本実施の形態にかかる印刷装置の概略的な構成の一例を示すブロック図である。
【００５４】
図２に示すように，印刷装置１０１は，印刷トレイ１２１と，印刷トレイコントローラ１２３と，印刷部１２５と，制御部１２７と，ＲＡＭ（Random  Access  Memory）１２９と，ＲＯＭ（Read-Only  Memory）１３１と，通信部１３３と，印刷対象物の１つ光ディスク１４１と，を少なくとも備えている。なお，上記光ディスク１４１は，印刷トレイ１２１に載置されることで，印刷装置１０１は，光ディスク１４１を備えるものとする。
【００５５】
上記印刷トレイコントローラ１２３は，制御部１２７からの指令のもと印刷トレイ１２１を駆動することで，印刷トレイ１２１を外部又は内部に移動させて，印刷トレイ１２１の出し入れを制御する。
【００５６】
上記印刷部１２５は，制御部１２７からの指令により光ディスク１４１のレーベル面にオブジェクトなどを印刷する。
【００５７】
なお，上記印刷部１２５は，例えば，印刷に用いられるインクが充填されたボトルや，インクを放出するノズルなどを備えるが，かかる例に限定されず，例えば，印刷部１２５は，電子写真式プリンタに備わるトナーや感光ドラムなどを備える場合でもよい。
【００５８】
また，上記印刷部１２５は，光ディスク１４１のレーベル面に印刷可能な色は，モノクロの場合に限らず，カラーの場合でもよい。
【００５９】
上記制御部１２７は，印刷トレイコントローラ１２３，印刷部１２５，ＲＡＭ１２９，ＲＯＭ１３１，および通信部１３３など印刷装置１０１に備わる各部に対して処理を命令したり，また当該各部が実行する処理を制御したりする。
【００６０】
上記ＲＯＭ１３１には，情報処理装置１０５から印刷情報を受信する，印刷情報を基にしてレーベル面に印刷する，または印刷トレイ１２１を駆動するなど，種々の処理をするための上記制御部１２７が実行するプログラム（例えば，ファームウェアなど）が記憶されている（インストールされている）。
【００６１】
即ち，本実施の形態にかかる制御部１２７は，ＲＯＭ１３１に記憶されたプログラムを実行することで，例えば，印刷トレイ１２１に取り付けられた光ディスク１４１のレーベル面に印刷部１２５に対し印刷させることができる。
【００６２】
上記通信部１３３は，情報処理装置１０５から印刷情報をネットワーク１０３を介して受信したり，情報処理装置１０５に対してネットワーク１０３を介して印刷終了を知らせる終了情報を送信したりするなど，データをネットワーク１０３を介して送受信する。
【００６３】
上記光ディスク１４１は，例えば，ＭＯ，ＣＤ−ＲＯＭ，ＤＶＤ−ＲＯＭ，ＤＶＤ−Ｒ，またはＣＤ−Ｒなどのレーザ等の光を用いてデータを記憶することが可能なメディアであるが，かかる例に限定されず，他の媒体でも実施可能である。
【００６４】
なお，図２に示すように，本実施の形態に係る印刷装置１０１には，印刷トレイコントローラ１２３が備わる場合を例に挙げて説明したが，かかる例に限定されず，例えば，印刷装置１０１には，印刷トレイコントローラ１２３が備わらない場合でもよい。かかる場合，印刷トレイ１２１はユーザの手動により出し入れされる。
【００６５】
（印刷トレイについて）
次に，図３を参照しながら，本実施の形態にかかる印刷トレイ１２１について説明する。なお，図３は，本実施の形態にかかる印刷トレイの概略的な構成の一例を示す説明図である。
【００６６】
図３（ａ）に示す光ディスク１４１は，一般的な形状の光ディスクであるが，中心部から放射状に線が引かれディスク表面上にマーク１４３が存在する点で，一般的な光ディスクと異なる。
【００６７】
上記光ディスク１４１の表面にマーク１４３が設けられることによって，光ディスク１４１の向きを特定することができる。従来では，かかるマーク１４３が明確に示されていなかったため，円形状である光ディスクの場合，特に，向きを特定することが難しかった。
【００６８】
また，図３（ａ）に示す印刷トレイ１２１には，上記光ディスク１４１の中心部に形成される中心孔と嵌合し，上記光ディスク１４１を固定するための固定部材１４５が形成されている。
【００６９】
上記光ディスク１４１の中心孔が上記固定部材１４５と嵌合することで，印刷トレイ１２１に当該光ディスク１４１を取り付けることができる。
【００７０】
一方，光ディスク１４１を印刷トレイ１２１から取り外すときには，上記光ディスク１４１の中心孔と固定部材１４５との嵌合を解除することで，光ディスク１４１を取り外すことができる。
【００７１】
さらに，上記固定部材１４５には，図３に示すように，印刷トレイ１２１に光ディスク１４１を取り付ける方向を定めるための取付マーク１４７が設けられている。なお，上記取付マーク１４７は，例えば，インク等で固定部材１４５上に印刷されてもよく，凸状など，取付マーク１４７と認識できるような形状に固定部材１４５上に形成されるなど，如何なる形態でもよい。
【００７２】
図３（ａ）に示すマーク１４３と取付マーク１４７とが一致するように（線が一直線上になるように），即ち，印刷トレイ１２１に取り付ける向きと光ディスク１４１の向きとを一致するように，光ディスク１４１を印刷トレイ１２１に取り付けると，図３（ｂ）のようになる。
【００７３】
以上のように，印刷トレイ１２１は，マーク１４３を用いて光ディスク１４１の向きと印刷トレイ１２１に光ディスク１４１が取り付けられる向きとを合わせることが可能な向き合わせ機構として，固定部材１４５及び取付マーク１４７を有しているのが分かる。
【００７４】
また，図３（ｂ）に示すように，光ディスク１４１を印刷トレイ１２１から取り外したとしても，マーク１４３と取付マーク１４７とを一致させることで，印刷時の光ディスク１４１の向き，光ディスク１４１の位置，光ディスク１４１のレーベル面に印刷可能な範囲などを一意に定めることができる。
【００７５】
したがって，全てのオブジェクトの配置などを管理すれば，光ディスク１４１のレーベル面にオブジェクトを複数回の印刷に渡り徐々に増やしながら印刷するなど，追加的な印刷を実行することができる。なお，光ディスク１４１のレーベル面に印刷するオブジェクトなどの配置を管理するのは，情報処理装置１０５側で行うが，詳細な説明は後述する。
【００７６】
また，図３に示す取付マーク１４７は，印刷対象物である光ディスク１４１のマーク１４３と合わせられるように，固定部材１４５の中心部から放射状に線が引かれる場合を例に挙げて説明したが，光ディスク１４１の印刷トレイ１２１への取り付け向きを一意に定めることが可能な基準となるものであれば，かかる例に限定されず，取付マーク１４７は，例えば，格子状の線，点，または三角形状など如何なる形態でもよいし，当該取付マーク１４７の位置も固定部材１４５以外の如何なる場所でもよい。
【００７７】
また，図３に示すマーク１４３は，光ディスク１４１の中心部から放射状に線が引かれる場合を例に挙げて説明したが，光ディスク１４１の向きを一意に定めることが可能な基準となるものであれば，かかる例に限定されず，マーク１４３は，例えば，格子状の線，点，または三角形状など如何なるマークでもよいし，当該マーク１４３の位置も光ディスク１４１の表面上であれば如何なる場所でもよい。
【００７８】
さらに，図３に示すマーク１４３は，光ディスク１４１の中心部に別途に設けられる場合を例に挙げて説明したが，かかる例に限定されず，例えば，光ディスク１４１の表面に既に印刷された製造番号のうちいずれか１つの数字や，既に印刷されたバーコードのうちいずれか１つのバーなどでもよい。
【００７９】
（情報処理装置について）
次に，図４を参照しながら，本実施形態にかかる情報処理装置１０５のハードウェア構成について説明する。なお，図４は，本実施形態にかかる情報処理装置のハードウェア構成の例を概略的に示すブロック図である。
【００８０】
図４に示すように，情報処理装置１０５は，例えば，ＣＰＵ（Central  Processing  Unit）等に該当する制御部２０１と，ＲＯＭ２０２と，ＲＡＭ２０３と，ホストバス２０４と，ブリッジ２０５と，拡張バス２０６と，インタフェース２０７と，入力部２０８と，表示部２１０と，ストレージ装置（ＨＤＤ）２１１と，ドライブ２１２と，通信部２１５とを備える。
【００８１】
制御部２０１は，演算処理装置および制御装置として機能し，各種プログラムに従って動作し，情報処理装置１０５内の各部を制御する。ＲＯＭ２０２は，制御部２０１が使用するプログラムや演算パラメータ等を記憶する。ＲＡＭ２０３は，制御部２０１の実行において使用するプログラムや，その実行において適宜変化するパラメータ等を一次記憶する。これらは外部バスなどに相当するホストバス２０４により相互に接続されている。
【００８２】
上記ホストバス２０４は，ブリッジ２０５を介して，ＰＣＩ（Peripheral  Component  Interconnect／Interface）バスなどの拡張バス２０６に接続されている。
【００８３】
上記入力部２０８は，例えば，マウス，キーボード，タッチパネル，ボタン，スイッチ，レバー等の操作手段と，入力信号を生成して制御部２０１に出力する入力制御回路などから構成されている。
【００８４】
上記情報処理装置１０５を使用するユーザは，この入力部２０８を操作することにより，例えば，情報処理装置１０５に対して各種のデータを入力しオブジェクトを作成したり，印刷などの処理動作を指示したりすることができる。
【００８５】
また，上記に示した例に限定されず，例えば，入力部２０８は，光学的読取手段を備え，光ディスク１４１に記録されているデータを光学的に読取り，編集情報を検知すると，編集情報に含まれるオブジェクトを編集するための要求信号を自動的に生成しても良い。
【００８６】
なお，上記編集情報には，後程説明するが，印刷編集情報と，非印刷編集情報とが存在し，入力部２０８は，入力信号として，その印刷編集情報又は非印刷編集情報のうち少なくとも一方に含まれるオブジェクトを編集する要求信号を生成する。
【００８７】
また，上記入力部２０８として編集情報を検知するのはハードウェア的手段若しくはソフトウェア的手段のどちらでも可能であり，本実施の形態では，後程説明するように，プログラムであるデータ管理モジュール３０９が編集情報を検知している。
【００８８】
さらに，上記入力部２０８の変形例として，上記ドライブ２１２により読取られた光ディスク１４１のデータから，入力部２０８が編集情報を検知すると，入力部２０８は，ユーザによる操作なく自動的に，当該編集情報に含まれるオブジェクトを編集する要求信号を自動的に生成しても良い。
【００８９】
上記表示部２１０は，例えば，ＣＲＴ（Cathode  Ray  Tube）ディスプレイ装置，液晶ディスプレイ（LCD）装置などに相当し，この表示部２１０は，例えば，光ディスク１４１のレーベル面に印刷する編集されたオブジェクトなどを画面上に出力する。
【００９０】
なお，本実施の形態に係るオブジェクトを編集するとは，例えば，オブジェクトの形状を変更する，オブジェクトの色彩を変更する，オブジェクトの位置を移動する，印刷編集情報から印刷予定編集情報に変更するなどオブジェクトの属性を変更する等のようなオブジェクトを加工する場合の他に，オブジェクトを新規に作成する，オブジェクトを削除するなども含まれるが，かかる例に限定されない。
【００９１】
上記ストレージ装置２１１は，本実施形態にかかる情報処理装置１０５の記憶部の一例として構成されたデータ格納用の装置であり，例えば，ＨＤＤ（Hard  Disk  Drive）で構成される。このストレージ装置２１１は，記憶媒体であるハードディスクを駆動し，制御部２０１が実行するプログラムや各種データを格納する。
【００９２】
上記ドライブ２１２は，記憶媒体用リーダライタであり，情報処理装置１０５に内蔵，或いは外付けされる。このドライブ２１２は，情報処理装置１０５にローディングされた磁気ディスク，光ディスク，光磁気ディスク，または半導体メモリ等のリムーバブル記憶媒体１７７に対して，例えば，編集情報などのデータを読み出したり，記録したりすることができる。
【００９３】
上記通信部２１５は，例えば，ネットワーク１０３を介して印刷装置１０１にデータを送受信するための通信デバイス等で構成された通信インタフェースである。なお，上記通信部２１５は，ネットワーク１０３に限定されず，例えば，インターネット上のサーバから編集情報などのデータを受信したり，サーバに編集情報を要求するデータを送信したりしても良い。
【００９４】
次に，図５を参照しながら，本実施形態にかかる情報処理装置１０５として機能させる各モジュールについて説明する。なお，図５は，本実施形態にかかる情報処理装置として機能させる各モジュールを概略的に示す説明図である。
【００９５】
図５に示すように，情報処理装置１０５のストレージ装置２１１には，編集情報生成モジュール３０１，表示データ生成モジュール３０３，要求受付モジュール３０５，印刷情報生成モジュール３０７，データ管理モジュール３０９，編集情報加工モジュール３１１，モード選択モジュール３１３，および表示切替モジュール３１５のように，本実施の形態に係る情報処理装置１０５として機能させるモジュールがインストールされている。
【００９６】
なお，かかるモジュールは，例えば，光ディスクや，インターネットなどを介してストレージ装置２１１にインストールされる。
【００９７】
また，上記モジュールは，例えば，必要に応じて制御部２０１によりストレージ装置２１１からＲＡＭ２０３に呼び出され，実行されるが，かかる例に限定されず，例えば，モジュールは，ＲＯＭ２０２等から直接呼び出され実行されてもよく，インターネット等のネット上から必要に応じてＲＡＭ２０３等にダウンロードされ実行されてもよい。
【００９８】
上記編集情報生成モジュール３０１は，編集情報を生成するプログラムである。上記編集情報は，光ディスク１４１のレーベル面に印刷するオブジェクトを編集したり，過去に同じ光ディスク１４１のレーベル面に印刷したオブジェクトなどを一元的に管理したりする，レーベル面のレイアウトを編集するための情報である。
【００９９】
なお，上記編集情報には，例えば，今回印刷する対象のオブジェクトを編集するための印刷編集情報，既に印刷したオブジェクトに関する非印刷編集情報，今回印刷しないがいずれ印刷する予定のオブジェクト又は領域に関する印刷予定編集情報などが含まれるが，詳細については後述する。
【０１００】
上記表示データ生成モジュール３０３は，編集情報に基づいて編集画面上に表示する表示データを生成するプログラムである。なお，上記生成された表示データは，表示部２１０に送信され，編集画面上に表示される。
【０１０１】
上記要求受付モジュール３０５は，ユーザが入力部２０８を操作して印刷実行や，編集情報作成などの要求を受付けることが可能なプログラムである。上記要求受付モジュール３０５により受付けられた要求は，制御部２０１により適切なモジュールが判断され，該当するモジュールが実行される。
【０１０２】
印刷情報生成モジュール３０７は，要求受付モジュール３０５により印刷実行の要求が受付けられると，上記印刷編集情報を基に印刷するための印刷情報を生成するプログラムである。
【０１０３】
上記データ管理モジュール３０９は，上記印刷編集情報，非印刷編集情報，または印刷予定編集情報のうち少なくとも１つが含まれる編集情報を，例えば，ストレージ装置２１１又はリムーバブル記録媒体１７７などに保存するプログラムである。
【０１０４】
また，上記データ管理モジュール３０９は，ユーザにより入力部２０８を介して指定された上記編集情報を，例えば，ストレージ装置２１１又はリムーバブル記録媒体１７７などから読み出すプログラムである。なお，かかる例に限定されず，上記データ管理モジュール３０９は，光ディスク１４１が入力部２０８等によりローディングされるのと連動して，当該光ディスク１４１に記録されたデータから編集情報を検知しても良い。
【０１０５】
上記編集情報加工モジュール３１１は，編集情報生成モジュール３０１により生成された編集情報又は上記データ管理モジュール３０９により読み出された編集情報に含まれるオブジェクトを加工するプログラムである。
【０１０６】
また，上記編集情報加工モジュール３１１は，印刷編集情報に含まれるオブジェクトを印刷予定編集情報としてのオブジェクトに変更したり，非印刷編集情報に含まれるオブジェクトを印刷編集情報としてのオブジェクトに変更するなど，オブジェクトの属性を変更することも可能である。
【０１０７】
より具体的には，例えば，印刷実行した後に，編集情報を保存する場合，上記編集情報加工モジュール３１１は，印刷編集情報に含まれる全てのオブジェクトを，既に印刷済みの非印刷編集情報としてのオブジェクトに属性変更する。
【０１０８】
上記モード選択モジュール３１３は，印刷編集情報又は非印刷編集情報などの編集情報のうち，どの編集情報を編集情報加工モジュール３１１が加工するのかをモード（編集モード）として選択するプログラムである。上記選択する編集モードの指示は，ユーザから入力部２０８を介して要求受付けモジュール３０５により受付けられる。
【０１０９】
上記表示切替モジュール３１５は，表示部２１０の画面上に表示する対象を切り替えることが可能なプログラムである。
【０１１０】
より具体的には，表示切替モジュール３１５は，ユーザにより指定された編集情報を要求受付モジュール３０５から取得すると，表示切替モジュール３１５は，表示データ生成モジュール３０３に対して，その指定された編集情報を基にして表示データを生成するよう指示する。
【０１１１】
したがって，表示切替モジュール３１５により，例えば，編集情報のうち印刷編集情報を画面上に表示する，非印刷編集情報を画面上に表示する，または印刷編集情報及び非印刷編集情報を画面上に表示することができる。
【０１１２】
以上，本実施形態にかかる情報処理装置１０５として機能させる各モジュールについて説明した。なお，上記編集情報生成モジュール３０１，表示データ生成モジュール３０３，要求受付モジュール３０５，印刷情報生成モジュール３０７，データ管理モジュール３０９，編集情報加工モジュール３１１，モード選択モジュール３１３，または表示切替モジュール３１５のうち少なくとも１つは，プログラムではなく，例えば，上記各モジュールの機能を有するハードウェアとして構成されてもよい。
【０１１３】
（編集画面について）
次に，図６〜図８を参照しながら，本実施の形態にかかる表示部２１０の画面上に表示される編集画面について説明する。なお，図６〜図８は，本実施の形態にかかる編集画面の概略的な構成の一例を示す説明図である。
【０１１４】
図６に示す編集画面は，今回，光ディスク１４１のレーベル面に印刷するオブジェクトを編集するためのデータ（印刷編集情報）を表示している画面である。印刷編集情報に含まれるオブジェクトを編集するためには，図６に示すように，編集モードの「印刷編集情報」のチェックボックスに“レ”を入力部２０８を操作し表示させる。
【０１１５】
上記チェックボックスに“レ”が付された該当の編集情報に編集モードを選択する要求を上記要求受付モジュール３０５が受付けると，上記モード選択モジュール３１３は，選択された印刷編集情報などの編集情報が編集可能なように編集モードを変更する。
【０１１６】
また，図６に示すように，「基準マーク」を編集画面に表示するか否かは，表示ＯＮ／ＯＦＦのラジオボタンいずれかを入力部２０８を操作し選択することで，決定することができる。
【０１１７】
上記「基準マーク」の表示ＯＮに係るラジオボタンが入力部２０８により選択されると，光ディスク１４２の中心部から放射状に引かれるマーク１４４が編集画面上に表示される。
【０１１８】
なお，上記光ディスク１４２は画面上に表示される仮想的な光ディスクであるが，光ディスク１４１に対応するものであり，画面上に表示される光ディスク１４２のレーベル面のレイアウトと光ディスク１４１のレーベル面のレイアウトとは対応している。
【０１１９】
また，上記光ディスク１４２の向きを一意に定めるマーク１４４についても画面上に表示される仮想的なマークであるが，実在する光ディスク１４１に設けられるマーク１４３に対応するものであり，ユーザは，編集画面上に表示される当該マーク１４４を基準にして，レーベル面に印刷するオブジェクトの位置など，レーベル面のレイアウトを決めることができる。
【０１２０】
上記基準マークの表示ＯＮのラジオボタンが入力部２０８により選択されたのを要求受付モジュール３０５が受付けると，表示切替モジュール３１５は，表示データ生成モジュール３０３に対し，編集画面上にマーク１４４を含む表示データを生成するように指示する。
【０１２１】
図６に示す「印刷編集情報」も同様に，「印刷編集情報」の表示ＯＮに係るラジオボタンが入力部２０８により選択されると，光ディスク１４２のレーベル面に配置された印刷編集情報に係るオブジェクトが編集画面上に表示される。
【０１２２】
なお，図６に示すように，例えば，“□”や“◎”などの印刷編集情報に係るオブジェクト３５１（３５１−１，３５１−２，３５１−３）が実線で光ディスク１４２のレーベル面上に表示されている。かかるオブジェクト３５１については，ユーザからの指示により，編集情報加工モジュール３１１により作成される。
【０１２３】
また，編集情報加工モジュール３１１は，作成した複数のオブジェクトを，例えば光ディスクの中心部から螺旋状となるように，レーベル面の適当な位置に配置することができる。配置されたオブジェクトは，図６に示すように，印刷編集情報として編集画面上に表示される。
【０１２４】
図６に示す「マーク印刷」のＹＥＳ／ＮＯのラジオボタンは，実物の光ディスク１４１の所定位置にマーク１４３を印刷するか否かを選択するためのものである。
【０１２５】
上記「マーク印刷」のＹＥＳのラジオボタンが入力部２０８により選択された上で，「印刷」ボタンが選択されると，印刷情報生成モジュール３０７は，マーク１４３を印刷するための印刷情報を含めて，印刷編集情報を基に印刷情報を生成する。
【０１２６】
次に，図７に示す編集画面は，既に光ディスク１４１のレーベル面に印刷され，今回は印刷しないオブジェクトを表示又は編集するためのデータ（非印刷編集情報，印刷予定編集情報）を表示している画面である。
【０１２７】
なお，印刷予定編集情報は，今回は印刷しないが，いずれ印刷する予定の領域又はオブジェクトを表示又は編集するデータであって，今回は印刷しない点で，上記非印刷編集情報の部類に属するデータである。したがって，特段の記載がない場合，非印刷編集情報は印刷予定編集情報を含むものとする。
【０１２８】
上記非印刷編集情報に含まれるオブジェクト，印刷予定編集情報に含まれるオブジェクト又は領域を編集するためには，入力部２０８を操作することで，図７に示すように，編集モードの「非印刷編集情報」，「印刷予定編集情報」のチェックボックスに“レ”を表示する。なお，その他については，上記「印刷編集情報」の場合と実質的に同一であるため詳細な説明は省略する。
【０１２９】
また，図６に示す「印刷編集情報」と同様に，図７に示す「非印刷編集情報」についても当該「非印刷編集情報」の表示ＯＮに係るラジオボタンが入力部２０８により選択されると，光ディスク１４２のレーベル面に既に印刷された非印刷編集情報のオブジェクトが編集画面上に表示される。
【０１３０】
なお，図７に示すように，非印刷編集情報のオブジェクト３５３（３５３−１，３５３−２，３５３−３）が破線で光ディスク１４２のレーベル面に表示されている。上記オブジェクト３５３は，過去に印刷編集情報に係るオブジェクトであったものであり，光ディスク１４１のレーベル面に印刷されたオブジェクトである。かかるオブジェクト３５３についても，ユーザからの指示により，編集情報加工モジュール３１１により作成され，配置される。
【０１３１】
また，図７に示す「印刷予定編集情報」についても同様に，「印刷予定編集情報」の表示ＯＮに係るラジオボタンが入力部２０８により選択されると，光ディスク１４２のレーベル面に配置された印刷予定編集情報のオブジェクト又は領域が編集画面上に表示される。
【０１３２】
図７に示すように，印刷予定編集情報の領域３５５が光ディスク１４２のレーベル面に表示されている。上記領域３５５は，印刷する予定の領域を示すものであり，その領域３５５内には何らかのオブジェクトを配置することができる。かかる領域３５５についても，ユーザからの指示により，編集情報加工モジュール３１１により作成され，配置される。
【０１３３】
図７に示す「印刷」ボタンが選択されると，非表示であるが，非印刷編集情報に付随して管理される印刷編集情報を基に，印刷情報生成モジュール３０７は，印刷情報を生成する。
【０１３４】
次に，図８に示す編集画面は，上記説明の印刷編集情報，非印刷編集情報，印刷予定編集情報の全ての編集情報に含まれるオブジェクトについて表示している画面である。
【０１３５】
上記全ての編集情報に含まれるオブジェクトを表示するためには，図８に示すように，「印刷編集情報」，「非印刷編集情報」，および「印刷予定編集情報」の表示ＯＮに係るラジオボタンを入力部２０８で選択する。
【０１３６】
図８に示すように，編集画面には，印刷編集情報に含まれるオブジェクト３５１と，非印刷編集情報に含まれるオブジェクト３５３と，印刷予定編集情報に含まれる領域３５５（又は，オブジェクト）とが表示されるため，ユーザは，既に印刷したオブジェクトや印刷予定の領域を容易に把握でき，レーベル面のレイアウトを効率的に編集することができる。
【０１３７】
さらに，上記編集画面には，上記オブジェクト３５１，上記オブジェクト３５３，および領域３５５の間で重なった部分を示す重なり情報３６１が表示される。
【０１３８】
上記重なり情報３６１は，レーベル面に配置された上記全ての編集情報に含まれるオブジェクトについて，編集情報加工モジュール３１１は，上記オブジェクト間に重なり部分が存在しないか判定し，重なり部分が存在した場合，重なり情報３６１として生成する。
【０１３９】
上記編集情報加工モジュール３１１により生成された重なり情報３６１（３６１−１，３６１−２）は，図８に示すように，例えば，重なり部分がグレー色にハッチングされて編集画面上に表示されるが，かかる例に限定されない。なお，重なり部分を有するオブジェクトの表示がＯＦＦの場合，上記重なり情報３６１は，画面上に表示されない。
【０１４０】
以上，図６〜図８に示す編集画面では，今回印刷するオブジェクトの他に，過去に印刷したオブジェクトや今後印刷する予定のオブジェクトが表示されるため，ユーザの編集効率を向上させることができ，さらに上記編集画面では，光ディスク１４１のマーク１４３と対応するマーク１４４が画面上に表示されるため，複数回に渡ってレーベル面に印刷する場合でも，編集画面上に表示されるレーベル面のレイアウトそのままを現物の光ディスク１４１のレーベル面に印刷することができる（ＷＹＳＩＷＹＧ）。
【０１４１】
なお，図８に示すように，重なり部分を示す情報は，上記オブジェクト３５１，上記オブジェクト３５３，および上記領域３５５の間で重なった場合を例に挙げて説明したが，かかる例に限定されず，例えば，複数のオブジェクト３５１の間，複数のオブジェクト３５３の間，または複数の領域３５５の間で，重なり部分が存在する場合でも重なり情報３６１が生成されてもよい。
【０１４２】
また，上記説明したように，図６〜図８に示す「印刷」ボタンが選択されると，印刷編集情報を基にして印刷情報が生成される。その印刷情報が生成された後，当該印刷編集情報は，既にレーベル面に印刷済みの編集情報（非印刷編集情報）として，データ管理モジュール３０９により既に生成された非印刷編集情報とともにストレージ装置２１１等に保存される。
【０１４３】
また，図６〜図８に示すように，編集画面には，マーク１４３を光ディスク１４１に印刷するか否かを選択するためのラジオボタンが表示される場合を例に挙げて説明したが，かかる例に限定されない。例えば，編集画面とは別途に，マーク１４３を光ディスク１４１に印刷するか否かを選択する画面が表示される場合や，また編集情報を新規に生成した場合や，編集情報にマーク１４３の有無を示すフラグを設けることで，印刷する際に自動的にマーク１４３を印刷するか否かを印刷情報生成モジュールなどが判断する場合などでもよい。
【０１４４】
また，図６〜図８に示すマーク１４４は，いずれも光ディスク１４２の中心部から垂直下方向に引かれる線分である場合を例に挙げて説明したが，光ディスク１４１のマーク１４３と対応して光ディスクの向きを一意に定めることが可能であれば，かかる例に限定さされず，如何なる態様でもよい。
【０１４５】
また，図６〜図８に示す編集画面には，ラジオボタンやチェックボックスなどのアイコンが表示される場合を例に挙げて説明したが，マーク１４４（基準マーク），印刷編集情報，非印刷編集情報，および印刷予定編集情報を選択的に表示又は編集することが可能であれば，かかる例に限定されず，如何なるレイアウト，画面，又はアイコンが表示されてもよい。
【０１４６】
（印刷処理について）
次に，図９Ａ及び図９Ｂを参照しながら，本実施の形態にかかる印刷システム１００における印刷処理について説明する。なお，図９Ａ及び図９Ｂは，本実施の形態にかかる印刷システムにおける印刷処理の概略を示すフローチャートである。
【０１４７】
図９Ａに示すように，まず，ユーザが入力部２０８を操作して，いずれかの処理の要求をする（Ｓ９０１）。上記要求された内容は，要求受付モジュール３０５により受付けられる。
【０１４８】
上記ユーザにより入力された要求（Ｓ９０１）が，編集画面上に表示する上記印刷編集情報等の一連の編集情報を読み込む要求の場合（Ｓ９０３），データ管理モジュール３０９は，ユーザにより指定された編集情報を読み込む（Ｓ９０５）。
【０１４９】
なお，上記データ管理モジュール３０９によりステップＳ９０５で読み込まれた編集情報は，上記説明の通り，表示部２１０の編集画面上に表示される。
【０１５０】
また，上記データ管理モジュール３０９が編集情報を読み込む読込先は，例えば，印刷する対象の光ディスク１４１，インターネット上のサーバ，ストレージ装置２１１，または光ディスク１４１以外のリムーバブル記録媒体１７７の場合を例示することができる。
【０１５１】
なお，上記ステップＳ９０３にて，読み込む編集情報が存在しない場合，編集情報生成モジュール３０１により，印刷編集情報が新規に生成される。
【０１５２】
次に，上記ユーザにより入力された要求（Ｓ９０１）が，編集画面上に表示されたオブジェクトを編集する要求の場合（Ｓ９０７），編集情報加工モジュール３１１は，ユーザにより指示された通りにオブジェクトを編集する（Ｓ９０９）。
【０１５３】
次に，上記ユーザにより入力された要求（Ｓ９０１）が，印刷編集情報，非印刷編集情報，または印刷予定編集情報のうち少なくとも１つを含んだ編集情報を保存する要求の場合（Ｓ９１１），データ管理モジュール３０９は，ユーザにより指定されたデータ形式に変換し，指定されたファイル名を付して，編集情報を保存する（Ｓ９１３）。
【０１５４】
なお，上記ステップＳ９０３の読込先と同様に，上記データ管理モジュール３０９が上記編集情報を保存する保存先は，例えば，印刷する対象の光ディスク１４１，インターネット上のサーバ，ストレージ装置２１１，または光ディスク１４１以外のリムーバブル記録媒体１７７の場合を例示することができる。
【０１５５】
次に，上記ユーザにより入力された要求（Ｓ９０１）が，印刷編集情報に含むオブジェクトを編集するモード（第１の編集モード）を選択する要求の場合（Ｓ９１５），モード選択モジュール３１３は，第１の編集モードが選択された旨を編集情報加工モジュール３１１に通知して印刷編集情報に含まれるオブジェクトについて編集可能にする（Ｓ９１７）。
【０１５６】
また，上記ユーザにより入力された要求（Ｓ９０１）が，非印刷編集情報に含むオブジェクトを編集するモード（第２の編集モード）を選択する要求の場合（Ｓ９１９），モード選択モジュール３１３は，第２の編集モードが選択された旨を編集情報加工モジュール３１１に通知して非印刷編集情報に含まれるオブジェクトについて編集可能にする（Ｓ９２１）。
【０１５７】
次に，上記ユーザにより入力された要求（Ｓ９０１）が，印刷予定編集情報に含むオブジェクトを編集するモード（第３の編集モード）を選択する要求の場合（Ｓ９２３），モード選択モジュール３１３は，第３の編集モードが選択された旨を編集情報加工モジュール３１１に通知して印刷予定編集情報に含まれるオブジェクトについて編集可能にする（Ｓ９２５）。
【０１５８】
次に，上記ユーザにより入力された要求（Ｓ９０１）が，マーク１４４を編集画面上に表示するか否かに関する表示切替要求の場合（Ｓ９２７），表示切替モジュール３１５は，ユーザからのマーク１４４の表示ＯＮ又はＯＦＦの要求に応じて，表示データ生成モジュール３０３にマーク１４４に関する表示データの生成の有無を伝える（Ｓ９２９）。
【０１５９】
次に，図９Ｂに示すように，上記ユーザにより入力された要求（Ｓ９０１）が，印刷編集情報を編集画面上に表示するか否かに関する表示切替要求の場合（Ｓ９３１），表示切替モジュール３１５は，ユーザからの印刷編集情報の表示ＯＮ又はＯＦＦの要求に応じて，表示データ生成モジュール３０３に印刷編集情報に関する表示データの生成の有無を伝える（Ｓ９３３）。
【０１６０】
表示データ生成モジュール３０３は，表示切替モジュールからの指示に従って，編集画面上に印刷編集情報のオブジェクトを表示する，又は，編集画面上に印刷編集情報のオブジェクトを表示しない。
【０１６１】
次に，上記ユーザにより入力された要求（Ｓ９０１）が，非印刷編集情報を編集画面上に表示するか否かに関する表示切替要求の場合（Ｓ９３５），表示切替モジュール３１５は，ユーザからの非印刷編集情報の表示ＯＮ又はＯＦＦの要求に応じて，表示データ生成モジュール３０３に非印刷編集情報に関する表示データの生成の有無を伝える（Ｓ９３７）。
【０１６２】
表示データ生成モジュール３０３は，表示切替モジュールからの指示に従って，編集画面上に非印刷編集情報のオブジェクトを表示する，又は，編集画面上に非印刷編集情報のオブジェクトを表示しない。
【０１６３】
次に，上記ユーザにより入力された要求（Ｓ９０１）が，印刷予定編集情報を編集画面上に表示するか否かに関する表示切替要求の場合（Ｓ９３９），表示切替モジュール３１５は，ユーザからの印刷予定編集情報の表示ＯＮ又はＯＦＦの要求に応じて，表示データ生成モジュール３０３に印刷予定編集情報に関する表示データの生成の有無を伝える（Ｓ９４１）。
【０１６４】
表示データ生成モジュール３０３は，表示切替モジュールからの指示に従って，編集画面上に印刷予定編集情報の領域又はオブジェクトを表示する，又は，編集画面上に印刷予定編集情報の領域又はオブジェクトを表示しない。
【０１６５】
次に，上記ユーザにより入力された要求（Ｓ９０１）が，光ディスク１４１にマーク１４３を印刷するか否かに関するマーク印刷要求の場合（Ｓ９４３），印刷情報生成モジュール３０７は，ユーザからのマーク印刷の必要又は不要の要求に応じて，印刷情報生成モジュール３０７は，マーク印刷に関するフラグを設定する（Ｓ９４５）。
【０１６６】
なお，上記マーク印刷に関するフラグは，例えば，上記編集情報のいずれかに含まれるが，かかる例に限定されない。また，図９Ｂに示すように，フラグに設定されたのがＯＮの場合，マーク１４３の印刷が必要であることを示し，フラグに設定されたのがＯＦＦの場合，マーク１４３の印刷が不要であることを示している。
【０１６７】
次に，上記ユーザにより入力された要求（Ｓ９０１）が，光ディスク１４１のレーベル面についての印刷実行する要求の場合（Ｓ９４７），印刷情報生成モジュール３０７は，上記ステップＳ９４５で設定されたフラグを参照し，フラグに設定されたのがＯＮの場合（Ｓ９４９），印刷情報生成モジュール３０７は，印刷編集情報を基にして印刷情報を生成するとともに，マーク１４３を印刷するための印刷情報も生成する（Ｓ９５１）。
【０１６８】
また，上記ステップＳ９４９で参照したフラグにＯＦＦが設定されていた場合，印刷情報生成モジュール３０７は，印刷編集情報を基に印刷情報を生成する（Ｓ９５３）。
【０１６９】
最後に，上記ユーザにより入力された要求（Ｓ９０１）が，編集画面を介した光ディスク１４１のレーベル面の印刷処理を終了する要求の場合（Ｓ９５５），本実施の形態にかかる印刷システム１００における一連の印刷処理を終了する。
【０１７０】
なお，上記一連の印刷処理によって，編集画面上のレーベル面のレイアウト通り，光ディスク１４１のレーベル面に複数回に渡って印刷することができる。以下に，複数回印刷の詳細について，説明する。
【０１７１】
（複数回印刷について）
次に，図１０及び図１１を参照しながら，本実施の形態にかかる光ディスク１４１のレーベル面に複数回に渡って印刷する複数回印刷処理について説明する。なお，図１０及び図１１は，本実施の形態にかかる光ディスクのレーベル面に対する複数回印刷処理の概略を示す説明図である。
【０１７２】
図１０（ａ）に示すように，表示部２１０の編集画面上には，仮想的な光ディスク１４２と，マーク１４４と，印刷編集情報に含まれるオブジェクト（図１０（ａ）に示す“ＡＢＣ”）とが表示されている。
【０１７３】
次に，図１０（ｂ）に示すように，印刷装置１０１の印刷トレイ１２１には，取付マーク１４７と，マーク１４３とが合わさるように，光ディスク１４１が取り付けられている。なお，取り付けられた光ディスク１４１のレーベル面には何も印刷されていないため，初回印刷である。
【０１７４】
次に，上記図１０（ａ）及び図１０（ｂ）に示す状態で，ユーザにより入力部２０８を操作し印刷実行の要求が行われると，上記説明の通り，図１０（ａ）の“ＡＢＣ”を含んだ印刷編集情報を基に印刷情報が生成され，図１０（ｃ）に示すように，光ディスク１４１のレーベル面に“ＡＢＣ”が印刷される。
【０１７５】
以上で，初回の印刷処理が終了する。次に，“ＡＢＣ”と印刷された光ディスク１４１のレーベル面に２回目の印刷処理を実行する場合，図１１に示すような２回目の印刷が実行される。
【０１７６】
図１１（ａ）に示すように，まず，上記説明の通り，データ管理モジュール３０９は，初回の印刷処理にて保存された非印刷編集情報等を含んだ編集情報を読み出す。読み出された上記編集情報は，表示部２１０の編集画面上に表示される。
【０１７７】
図１１（ａ）に示すように，初回の印刷処理でレーベル面に印刷された“ＡＢＣ”が非印刷編集情報として，編集画面上に表示されている。
【０１７８】
次に，編集情報加工モジュール３１１は，ユーザからの要求に応じて，印刷編集情報のオブジェクトとして“☆”のオブジェクトを作成し，配置する。従って，図１１（ａ）に示すように，マーク１４４を挟んで左右に“☆”と“ＡＢＣ”が編集画面上に表示される。
【０１７９】
このように，編集画面上のマーク１４４と非印刷編集情報に含まれるオブジェクト（印刷予定編集情報のオブジェクト又は領域）を基準に印刷編集情報のオブジェクトを作成し，配置することで，既に印刷したオブジェクトと重ならないようにレイアウトできるのは勿論のこと，レーベル面のレイアウトの決定を的確・効率化することができる。
【０１８０】
次に，図１１（ｂ）に示すように，印刷装置１０１の印刷トレイ１２１に，取付マーク１４７と，マーク１４３とが合わさるように，初回印刷処理された先程の光ディスク１４１が取り付けられる。
【０１８１】
光ディスク１４１のマーク１４３と取付マーク１４７とが合わさることで，光ディスク１４１の向きと印刷トレイ１２１に取り付けられる光ディスク１４１の取り付け向きとが常に同じとなるため，光ディスク１４１のレーベル面に印刷する位置，大きさ，範囲等と，編集画面上のレーベル面に印刷する印刷する位置，大きさ，範囲等とを相対的に一致させることができる。
【０１８２】
次に，上記図１１（ａ）及び図１１（ｂ）に示す状態で，ユーザにより入力部２０８を操作し印刷実行の要求が行われると，上記説明の通り，図１１（ａ）の“☆”を含む印刷編集情報を基に印刷情報が生成され，図１１（ｃ）に示すように，既に“ＡＢＣ”が印刷された光ディスク１４１のレーベル面に“☆”が新たに印刷される。
【０１８３】
以上から，本実施の形態にかかる複数回印刷処理では，非印刷編集情報や印刷予定編集情報を基に，印刷するレーベル面のレイアウトを決定し，編集画面上のレイアウト通りに印刷することができるため，何度でも繰り返し印刷することができる。
【０１８４】
なお，上述した一連の処理は，専用のハードウェアにより行うこともできるし，ソフトウェアにより行うこともできる。一連の処理をソフトウェアによって行う場合には，そのソフトウェアを構成するプログラムが，汎用のコンピュータやマイクロコンピュータ等にインストールされ，上記コンピュータやマイクロコンピュータ等を情報処理装置１０５として機能させる。
【０１８５】
プログラムは，コンピュータに内蔵されている記録媒体としてのハードディスクドライブやＲＯＭなどに予め記録しておくことができる。
【０１８６】
あるいはまた，プログラムは，ハードディスクドライブに限らず，フレキシブルディスク，ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ），磁気ディスク，半導体メモリなどのリムーバブル記録媒体に，一時的あるいは永続的に格納（記録）しておくことができる。このようなリムーバブル記録媒体は，いわゆるパッケージソフトウエアとして提供することができる。
【０１８７】
なお，プログラムは，上述したようなリムーバブル記録媒体からコンピュータにインストールする他，ダウンロードサイトから，ディジタル衛星放送用の人工衛星を介して，コンピュータに無線で転送したり，ＬＡＮ（Ｌｏｃａｌ  Ａｒｅａ  Ｎｅｔｗｏｒｋ），インターネットといったネットワークを介して，コンピュータに有線で転送し，コンピュータでは，そのようにして転送されてくるプログラムを受信し，内蔵するハードディスクドライブにインストールすることができる。
【０１８８】
ここで，本明細書において，コンピュータに各種の処理を行わせるためのプログラムを記述する処理ステップは，必ずしもフローチャートとして記載された順序に沿って時系列に処理する必要はなく，並列的あるいは個別に実行される処理（例えば，並列処理あるいはオブジェクトによる処理）も含むものである。
【０１８９】
また，プログラムは，１のコンピュータにより処理されるものであっても良いし，複数のコンピュータによって分散処理されるものであっても良い。
【０１９０】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１９１】
上記実施形態においては，複数回印刷する印刷対象物がＣＤ−ＲＯＭ等の光ディスク１４１である場合を例に挙げて説明したが，本発明は，かかる例に限定されない。例えば，紙媒体などのいかなる媒体の場合であっても実施可能である。
【０１９２】
上記実施形態においては，情報処理装置１０５として機能させる各モジュール（編集情報生成モジュール３０１，表示データ生成モジュール３０３，要求受付モジュール３０５，印刷情報生成モジュール３０７，データ管理モジュール３０９，編集情報加工モジュール３１１，モード選択モジュール３１３，または表示切替モジュール３１５）はソフトウェアの場合を例に挙げて説明したが，本発明はかかる例に限定されない。例えば，上記編集情報生成モジュール３０１，表示データ生成モジュール３０３，要求受付モジュール３０５，印刷情報生成モジュール３０７，データ管理モジュール３０９，編集情報加工モジュール３１１，モード選択モジュール３１３，または表示切替モジュール３１５のうち少なくとも１つは，ハードウェアとして構成されてもよい。
【０１９３】
また上記実施形態においては，印刷システム１００は，上記印刷装置１０１と情報処理装置１０５とを備える場合を例に挙げて説明したが，かかる例に限定されず，例えば，印刷システム１００は，印刷装置１０１のみを備える場合でも実施可能である。なお，かかる場合，印刷装置１０１には，情報処理装置１０５が具備する機能のうち少なくとも１つが含まれるものとする。
【図面の簡単な説明】
【０１９４】
【図１】本実施の形態にかかる印刷システムの概略的な構成の一例を示すブロック図である。
【図２】本実施の形態にかかる印刷装置の概略的な構成の一例を示すブロック図である。
【図３】本実施の形態にかかる印刷トレイの概略的な構成の一例を示す説明図である。
【図４】本実施形態にかかる情報処理装置のハードウェア構成の例を概略的に示すブロック図である。
【図５】本実施形態にかかる情報処理装置として機能させる各モジュールを概略的に示す説明図である。
【図６】本実施の形態にかかる編集画面の概略的な構成の一例を示す説明図である。
【図７】本実施の形態にかかる編集画面の概略的な構成の一例を示す説明図である。
【図８】本実施の形態にかかる編集画面の概略的な構成の一例を示す説明図である。
【図９Ａ】本実施の形態にかかる印刷システムにおける印刷処理の概略を示すフローチャートである。
【図９Ｂ】本実施の形態にかかる印刷システムにおける印刷処理の概略を示すフローチャートである。
【図１０】本実施の形態にかかる光ディスクのレーベル面に対する複数回印刷処理の概略を示す説明図である。
【図１１】本実施の形態にかかる光ディスクのレーベル面に対する複数回印刷処理の概略を示す説明図である。
【符号の説明】
【０１９５】
１００      印刷システム
１０１      印刷装置
１０５      情報処理装置
１２１      印刷トレイ
１４１      光ディスク
１４３      マーク
１４７      取付マーク
【図１】
2007219744.tif 000003
【図２】
2007219744.tif 000004
【図３】
2007219744.tif 000005
【図４】
2007219744.tif 000006
【図５】
2007219744.tif 000007
【図６】
2007219744.tif 000008
【図７】
2007219744.tif 000009
【図８】
2007219744.tif 000010
【図９Ａ】
2007219744.tif 000011
【図９Ｂ】
2007219744.tif 000012
【図１０】
2007219744.tif 000013
【図１１】
2007219744.tif 000014